(57)【要約】【課題】新種の漁法である吸揚漁法を確立する。【解決手段】船体から海中に向け吸揚管と給餌管とを垂下し、吸揚管の先端にはラッパ管を付け、ラッパ管の近くには逆流防止弁を設ける。ラッパ管と給餌管の先端部には照明装置を設ける。餌及び照明で集魚した魚を吸揚管で吸揚げる。吸揚管の直径は３０〜８０ｃｍとし、サンドポンプ等大型ポンプで連続又は間欠作動させて吸揚げる。【選択図】　　　図１
2004049053.tif 000002
【特許請求の範囲】
【請求項１】
漁船本体と、排水口を船体内に位置すると共に、その深度を適宜調整自在として吸水口を海中に向けて配置した大径の吸揚管と、餌投入口を船体内に位置すると共に餌排出口を海中に向けて配置し、水流中に魚の餌を混入せしめて海中に放流する給餌管とを有し、
前記吸揚管は、その吸水口をラッパ状に開口したラッパ管を有すると共に、その途中に逆流防止弁を有し、少なくともそのラッパ管の開口部分に魚類を集魚するための照明装置と、かつ前記吸水口から流入する水流を前記魚の遊泳速度に近い速度で餌と共に吸入する大型ポンプを備えたことを特徴とする吸揚漁船。
【請求項２】
請求項１に記載の吸揚漁船において、前記逆流防止弁は、前記ラッパ管の近くに配置されることを特徴とする吸揚漁船。
【請求項３】
請求項１に記載の吸揚漁船において、前記照明装置は、前記吸揚管の内部まで設けられ、前記ラッパ管内を含めて前記吸揚管の先端部分内部まで照明し、前記魚を前記吸揚管内部まで誘導することを特徴とする吸揚漁船。
【請求項４】
請求項１に記載の吸揚漁船において、前記吸揚管の前記ラッパ管の開口方向を変更自在とする姿勢変更装置が付属されることを特徴とする吸揚漁船。
【請求項５】
請求項１に記載の吸揚漁船において、前記給餌管は、前記吸揚管の内又は外に固定的に設けられ、その餌排出口は、前記ラッパ管の開口部分に開口されることを特徴とする吸揚漁船。
【請求項６】
請求項１に記載の吸揚漁船において、前記給餌管は、前記吸揚管とは別体に設けられ、その餌排出口には集魚のための照明装置が設けられ、かつ海中で深度調節自在に構成されることを特徴とする吸揚漁船。
【請求項７】
請求項５又は６に記載の吸揚漁船において、前記給餌管の先端には、下方に放出する餌を上方に反射させるための餌反射板が設けられることを特徴とする吸揚漁船。
【請求項８】
請求項５又は６に記載の吸揚漁船において、前記給餌管の上端には、前記吸揚管の排出流水中に混入する余剰の餌を網で濾し取り前記餌投入口に返還する餌回収装置が設けられることを特徴とする吸揚漁船。
【請求項９】
請求項１〜８のいずれか１つに記載の吸揚漁船において、前記吸揚管又は前記給餌管の先端部には、夫々に集魚する魚の集魚状態を監視する監視カメラが設けられることを特徴とする吸揚漁船。
【請求項１０】
海中の魚を、探索集魚する探索集漁船であって、船本体と魚群探知器と、餌投入口を船体内に位置すると共に餌排出口を海中に向けて配置し、深度調節自在とされ、水流中に魚の餌を混入せしめて海中に放流する給餌管と、集魚のため、給餌管の先端部分を照明する照明装置とを有し、前記照明装置及び前記餌で集魚した魚群を海面近くまで引き上げ、又は集魚魚群を他の漁船近くまで移動させることを特徴とする探索集魚船。
【発明の詳細な説明】
【０００１】
【発明の属する技術分野】
本発明は、海中の魚類を集魚し、大径のポンプで一気に吸揚げるという漁法を現実のものとして実現することができる吸揚漁船及びこの吸揚漁船に付随して構成された魚群の探索及び集魚を行う探索集魚船に関する。
【０００２】
【従来の技術】
魚を捕獲する漁法としては、１本釣りを始め、定置網や、流し網、引き網、その他のものがある。１本釣りは、餌で滞びき寄せたカツオ等の魚を竿で１つづつ釣り上げるというものである。他のものは、いずれの場合も網を必要とし、大漁を得るためには相応の大がかりな網と人手を必要とする。例えば、一定の距離を介して配置された６０トンクラスの２隻の漁船（真網船及び逆網船）の間に網を張り、これら２隻の船で魚群を追って巡回操行させる２船旋網漁法では、網は比較的小型で良いが各船に２５人の乗組員を必要とし、合計５０人を必要とし、相当大がかりな操業となる。また、捕獲できる魚も海表面を遊泳するアジやサバ等に限定される。また、１又は２隻の６０トンクラスの漁船により、長さ１８００ｍ、深さ１８０ｍの網をリング状に打廻し、これを順次統括して前記リング内部に位置する魚群を一網打尽とする巻旋漁法では、網が相当大がかりで高価なものであり、操業は１船団６０人位の多数の乗組員を必要とする。
【０００３】
従来、本発明者等はこれら網による漁法に加えて、少ない乗組員にてより効率的な漁を行なうべく、吸揚漁法なる漁法を夢の漁法として構想してきた。本発明者の構想に近い漁法としては、例えば、実公昭３５−３２５７１号公報（魚類捕獲装置の構造）に示されるものの例がある。この公報には、先端を海中深部に開口した揚水管の先端近くに圧縮空気の吹出管を開口し、該揚水管の先端部をラッパ状に拡大しその内周面を光の反射面に形成し、これに沿わせて環状に集魚灯を固設して成る魚類捕獲装置が提案されている。
【０００４】
実公昭３５−３２５７１号公報には、「本装置を備えた船を魚類の多い個所に位置させて集魚灯５，６を点灯すれば魚類はその習性によってその照明部分に集るからこのとき圧縮空気を噴出管３より供給すれば揚水管２を通してその前面の水は吸引せられ管内を上昇して甲板上に揚げられ、これに伴って魚類が揚げられるから水と分離すれば魚類が容易に捕獲する事が出来る。」とある。確かに、集魚灯に集った魚は、逃げる元気の無いものについては吸揚げられよう。また、誤って揚水管に入って浮上してしまうものも有るであろう。
【０００５】
しかしながら、実公昭３５−３２５７１号公報に示される漁法は、あくまで集魚灯と揚水管によって魚を吸揚げ可能であることを示唆するのみで、これを業務上の捕獲漁法として確立できるよう具体的に構成されたものでは無い。揚水能力に問題がある。また、揚水作業に合わせて魚が逃げてしまう。しかも深海魚に適用できず、業としての利用は不可能である。
【０００６】
本発明者は、実際魚湧と浚渫作業におけるサンドポンプ利用経緯を生かし、吸揚漁法に必要な揚水能力等を研究し、汎用漁法である１本釣りや流し網漁や引き網漁等と同様に活用でき、単独で又はこれら旧来の漁法と併合して業務上利用できるかつて夢の漁法であった吸揚漁法を実現可能なものとして提案するものである。
【０００７】
【発明が解決しようとする課題】
上記従来技術に鑑みて、本発明は、吸揚管と集魚用の照明装置とを備えた吸揚漁法の基本的構想を改善し、業務上実用可能な吸揚漁法を確立し、これに用いることができる吸揚漁船を提供することを目的とする。
【０００８】
また、吸揚漁船に付随して、魚類を効率良く探知集魚する探索集魚船を提供することを目的とする。
【０００９】
【課題を解決するための手段】
上記課題を解決することができる本発明の吸揚漁船は、漁船本体と、排水口を船体内に位置すると共に、その深度を適宜調整自在として吸水口を海中に向けて配置した大径の吸揚管と、餌投入口を船体内に位置すると共に餌排出口を海中に向けて配置し、水流中に魚の餌を混入せしめて海中に放流する給餌管とを有し、前記吸揚管は、その吸水口をラッパ状に開口したラッパ管を有すると共に、その途中に逆流防止弁を有し、少なくともそのラッパ管の開口部分に魚類を集魚するための照明装置と、かつ前記吸水口から流入する水流を前記魚の遊泳速度に近い速度で餌と共に吸入する大型ポンプを備えたことを特徴とする。
【００１０】
漁船本体は、基本的には、６０トンクラス〜数１００トン以上の大型船とすることが必要である。直径３０〜８０ｃｍの大径の吸揚管を深度調節自在として所持し、先端ラッパ管から魚の遊泳速度に近い速度で大量の水を吸引し、吸引した水から魚を分離する設備、さらには前記大量の水を吸引するための大型ポンプを必要とし、これらの力に抗して円滑操業する必要が有る。
【００１１】
吸揚管は、目的とする魚を大量に吸引するため、その直径は少なくとも３０ｃｍ必要で、可能な限りでは、８０ｃｍ程度必要である。吸揚管の下端吸水口には、ラッパ管を備える。ラッパ管の開度、大きさに限定は無いが、開口角度３０〜６０度程度で、長さ１．５〜３ｍ程度で有る。小型の簡易構成のものでは固定的にすることもある。ラッパ管は、ラッパ管と称するも、トランペットのホーン部分のような朝顔形状のものの他、一端開口した後、再度絞り、そして再度開口するような形のものも含む。中間膨脹部分を含めれば、その部分に魚を集め、集めた魚を効率よく吸揚げることができる。これらのように、ラッパ管の形状は種々、効率等を考慮して設計されなければならない。吸揚管は、一般には、大型専用船では、その先端を魚群の居る位置、又は集魚できる位置へ自在に調節して位置決めする必要が有る。固定すると、そこに魚群を集められる場合に限定され、利用度が大幅に限定される。ただし、アジやサバ等浅部を遊泳する魚のみを対象とする数十トンクラスの小型船舶を対象とする場合には、例えばラッパ管部のみを姿勢変更可能とする等により、吸揚管を敢えて固定的にすることもある。
【００１２】
吸揚管の途中には、一時吸込み停止制御を行うときに、水流の遮断を行うための逆流防止弁が設けられる。逆流防止等を設ければ、例えば、ポンプを作動させてラッパ管内に集魚した魚を数秒間吸込み、ポンプ停止し、次のラッパ管内への集魚を待つ場合、吸込み済みの魚類を再度ラッパ管内へ吐き出すようなことが無い。加えて、ポンプの作動は、必ずしも一気に吸揚動作すべきでない。一般には、通常は緩やかな吸引を行いつつ、魚を吸揚操作するときのみ負荷を上昇させ、魚を安定した状態とし、魚を逃がし、或いは散らすことが無いよう円滑に作動させるべきである。とは言え、餌及び照明により集魚した魚は、そう簡単には離散しないことが確認されている。従って、ポンプ動作は魚の性質や集魚状況に応じ適格に制御される。
【００１３】
前記吸揚管に付属して設置する大型ポンプは、水流速度を魚の遊泳速度近くの速度で一気に吸上げるだけの能力を有するものとする。具体的には、現在浚渫作業で稼働しているサンドポンプを利用することができる。揚水方式は、ジェット方式の他、ピストン方式も利用できる。即ち、ジェット方式は、実公昭３５−３２５７１号広報にも示されるような水流吹込みによるものであるが、逆流防止弁を備えたピストンを往復動作させ、水を断続的に吸引するようなものも利用できる。羽根の回転によるスクリュー式のものは吸揚魚を傷付け又は破砕するので、好ましく無い。
【００１４】
前記吸揚管の先端に備えるラッパ管は、その開口方向を変更自在とする姿勢変更装置を付属させる。姿勢変更装置の例としては、吸揚管に対し向きをずらせたラッパ管を軸の回りに回転させる例や、吸揚管の先端に揺動自在に設けたラッパ管をクレーンで吊り、高さ変更する方式等が有る。
【００１５】
深度調節方式は、垂直方向のみの高さ調節では、ウォームギヤ等を利用してポスト部分を上下動させることでも対応可能であるが、一般には上端をヒンジ固定した長尺の吸揚管の中間及び先端部をクレーンで吊下げ、クレーン長さの変化で下端高さを調整する方式とすることができる。
【００１６】
前記吸揚管の先端ラッパ管の内側、又はラッパ管の内側から吸揚管の内部にかけては照明装置を設け、集魚した魚をラッパ管の内部、又は吸揚管の内部へ誘導する。この照明装置は、魚群のラッパ管内部への集魚をも行うが、あくまで、ラッパ管及び吸揚管への誘導が主目的である。集魚には、照明以外の餌が必要である。照明は、例えば集魚灯５灯で３〜５０００カンデラ程度とする。
【００１７】
給餌管は、餌投入口を船体内に位置すると共に餌排出口を海中に向けて配置し、給餌管内に流れる水流中に魚の餌を混入せしめて海中に放流し、集魚する。餌はオキアミや魚のミンチ等を用いる。イワシの生餌を用いることもある。
【００１８】
給餌管は、前記吸揚管に一体的に固定される場合と、別体に配置される場合とがある。給餌管を、吸揚管に一体的に固定する場合には、その餌排出口を前記ラッパ管内部に向けて開口する。これにより、海中でラッパ管の内外へ向けて餌を放出することができる。給餌管を吸揚管と別体に設置する場合には、その高さを調節自在として、給餌管そのものに、又はこれと並列配置して、餌排出口に集魚用の照明装置を設けるものとする。給餌管の先端には、下方に吐出する餌を上方に反射させるための餌反射板を設ける。餌が海中に一方的又は直線上に放出されて無駄を生じ集魚効率が低下するのを防ぐためである。
【００１９】
前記吸揚管又は前記給餌管の先端部には、夫々に集魚状態を監視するための監視カメラを設けることができる。また、前記吸揚管の上端には、前記給餌管より排出した吸揚管で吸上げてしまった余剰の餌を濾し取り、前記餌投入口に再度返還する餌回収装置を設け、吸揚管に吸入される多量の餌の有効利用を図ることができる。
【００２０】
以上の構成の吸揚漁船において、漁場に到着した吸揚漁船は、単独又は吸揚管と共に給餌管を下げ、照明装置をつけ、餌を放流して密度高く集魚することができる。給餌管は、剛管で製作しても良く、消防ホースのように布製とすることもできる。
【００２１】
吸揚管を、餌及び照明で集魚した魚群の群れの中に位置させ、ラッパ管内の照明装置を付け、ラッパ管内に魚群を誘導することができる。また、吸揚管内の照明を付けることにより、ラッパ管から吸揚管へかけて魚をさらに誘導することができる。次いで、大型ポンプを急激に又はゆっくりと負荷を増大させて作動させ、ラッパ管内の水及び魚を強引に吸揚管内に引込むことにより、ラッパ管に近接する魚を円滑に吸い込むことができる。適用可能な魚種としては、イワシ、アジ、サバ、サンマ、イサキ、サケ、マス等照明と餌により集魚できるもの全てを対象とすることができる。イワシの生餌を用いてカツオにも適用可能である。
【００２２】
ポンプの作動方式には注意を要する。急激に負荷をかけ、一気の吸込みを行う場合には、魚に衝撃を加え、群れを分散させてしまう恐れがある。数秒をかけ次方に負荷を上げると魚は気が付かず、自然に吸揚管内に吸込まれる。また、作動は、数分〜数十分連続させる場合と、数秒ないし数十秒毎の間欠動作させる方式とが有る。いずれの方式を取るかは、魚の種類と、群れの状況による。吸揚管の途中に逆流防止弁を設けているので、間欠作動によって魚が逆流することが無い。
【００２３】
アジやサバ等水深数ｍ〜十数ｍの浅部を遊泳する魚に対しては、吸揚管及び給餌管一体型のものを使用できる。即ち、給餌管を一体化した吸揚管を下げ、ラッパ管部から餌を放出すると共に照明を付け、集魚した魚を吸揚げることができる。
【００２４】
また、水深１００ｍ以上の深部を遊泳する魚や瀬付き魚に対しては、給餌管を下げて集魚した後先端に魚を集魚したまま、ゆっくりと給餌管を上昇させ、これで魚を吸揚管のラッパ管まで誘導して吊上げ、餌及び照明の切換え制御と行って集魚した魚をラッパ管の方へ移動させ、吸揚管で揚げることができる。
【００２５】
吸揚漁船を用いた吸揚漁法の一例を示すと、集魚専用の１又は複数の探索集魚船と、１隻の吸揚漁船で船団を組み、探索集魚船で集魚した魚を吸揚漁船で吸揚げることができる。操業は、１船団２５人程度で行うことができる。
【００２６】
探索集魚船は、吸揚漁船から吸揚管を取除いた形で構成することができる。即ち、探索集魚船は海中の魚を探索集魚する探索集魚船であって、船本体と魚群探知器と、餌投入口を船体内に位置すると共に餌排出口を海中に向けて配置し、深度調節自在とされ、水流中に魚の餌を混入せしめて海中に放流する給餌管と、集魚のため給餌管の先端部分を照明する照明装置とを有し、前記照明装置及び前記餌で集魚した魚群を海面近くまで引上げ、又は集魚魚群を他の漁船近くまで移動させることを特徴とする。
【００２７】
従って、１又は複数の探索集魚船で船団を組み、例えば半径８００ｍの円周上に位置する探索集魚船で魚群探知し、かつ餌及び照明によって集魚した魚を中央付近に位置する吸揚漁船に持ち来たし、包囲を縮めて、集魚した魚を吸揚漁船で吸揚げることができる。操業人員は２５人程度で済む。１０ｍ程度の風があっても十分操業できる。集魚状態及び吸揚状況は、魚群探知器であらましを観察できる。吸揚管及び給餌管の先端に監視カメラを設けておけば、照明中の魚の群を目視でき、確実な操業が行なえる。
【００２８】
本発明の吸揚漁船は、カツオ漁にも利用できる。即ち、カツオは、生きた餌しか食べず、照明のみによって集魚させることは不可能である。しかし、１本釣りを行うときの撒き餌に群れる魚に対し吸揚管のラッパ管を位置させれば、１本釣りに併せて吸揚作業を実行可能である。また、給餌管から生きた魚を放出し、カツオの群に対して吸揚作業することも可能である。
【００２９】
【発明の実施の形態】
以下、添付図面を参照して本発明の実施の形態を説明する。図１は、本発明の一実施形態に係る吸揚漁船１の全体構成を示す側面図である。図２は、吸揚管の先端部の部分拡大説明図である。
【００３０】
図１において、海２（潮流２Ｆ）の海面３上に浮かぶ船体４には、機関室５、冷凍室６（６ａ，６ｂ．６ｃ）、餌収納室７が配置され、機関室５には、船体４の推進用の大型ディーゼルエンジンの他に２０００〜３０００馬力の吸揚ポンプ８が配置されている。吸揚ポンプ８は、例えば、浚渫作業に用いられているサンドポンプを用いることができる。サンドポンプは、油圧駆動により、大旋回流を作り、これを吸揚管の一方向に吹込み、ジェット水流として吸揚管内の水を吸揚する構成である。吸揚ポンプ８は、１台に限定されず、２台に分けて吸揚することもできる。
【００３１】
船体４には、管径６０ｃｍ、長さ３０〜５０ｍの吸揚管９の上端を上下揺動自在にヒンジ支持するヒンジ機構１０が配置され、該ヒンジ機構１０と吸揚ポンプ８、吸揚ポンプ８と水揚げ処理装置１１は、夫々吸揚管９の延長線上の管９と接続されている。処理装置１１は、吸揚げた海水の中から魚及び餌を分離するものである。分離された魚は冷凍室６へ、餌は給餌管１２の餌投入口１３へ移される。
【００３２】
本例の吸揚漁船１では、吸揚管９の側面に給餌管１２が配置される。給餌管１２は、船体４側にあっては、前記ヒンジ機構１０の位置で吸揚管９から離れて餌投入口１３と接続されている。餌投入口１３の近傍には、図示しないポンプ等による海水供給装置が配置され、海水中にオキアミや魚ミンチ等の餌を混ぜて給餌管１３に送られる。
【００３３】
図２に詳細に示すように、吸揚管９の先端には、ラッパ管１４が設けられる。先端より１〜３ｍ手前には、逆流防止弁１５が設けられている。必要に応じては、この逆流防止弁１５の位置付近に第２の吸揚ポンプが配置されることもある。
【００３４】
前記ラッパ管１４のラッパ部分には、給餌管１２と接続される餌タンク１６が配置され、前記ラッパ管１４の先端円周に沿ってリング状の餌放出管１７が配置されている。餌放出管１７の下方には複数の餌排出穴が明けられ、これから餌混じりの海水を海中に向けて放出できる。餌排出穴に抗して、餌反射板１８が設けられ、放出餌をラッパ管１４の内側方向に向けて散布反射させ海中に放流するようになっている。
【００３５】
前記ラッパ管１４の内部には集魚用の照明装置１９が設けられている。照明装置１９は、複数、例えば５灯の集魚灯で構成され、全体照度は、例えば５灯で５０００カンデラ程度とされる。電線ケーブル２０は、適宜吸揚管９に沿って配線される。照明装置は、例えば１灯１０００カンデラの５個の集魚灯で構成し、内１灯は、赤色灯とする。また、電圧により、燭光制御可能とすることもできる。
【００３６】
前記給餌管１２等を１体的に備えた前記吸揚管９は、その中間を３対のクレーン２１（２１ａ，２１ｂ，２１ｃ）で吊り、クレーン２１のロープ長さを変更することにより、吸揚管９をヒンジ機構１０に対して回動させ、吸揚管９の先端高さを上下で自由に調節できるようになっている。
【００３７】
図３に示すように、ラッパ管１４の吸揚管９への取付け点を例えばゴム管２２で構成し、クレーン２１ｃを他のクレーン２１ａ，２１ｂより余計に引くことにより、ラッパ管１４の向きを変更することもできる。この種ラッパ管１４の姿勢変更装置は、ヒンジや、ギヤ等を用いて各種設計することができる。これにより、ラッパ管の向きは、上向き、横向き、下向き、いずれの方向でも自在に向けることができる。
【００３８】
図４に示すように、吸揚管９の先端部には、吸揚管９内部を照明し、魚をできるだけ内側へ誘導するための照明装置２３を設けることもできる。また、魚の集魚状況を目視で監視するための監視カメラ２４を設けることもできる。さらに、ラッパ管１４の形状は、一般的なラッパ形状に加えて、魚ができるだけラッパ管内に位置できるよう、ドラム形状、長ぐつ形状、あるいはボックス形状等、各種形状に設計できる。さらに、吸揚管９等の途中に例えばゴム製継手を介在させ、船体４の音を遮蔽する構造とすることもできる。逆に、吸揚管９を介して、魚の好む群れの音等を放射することも考えられる。
【００３９】
図５は、吸揚漁船１の夏期水温上昇時における操業状況を示す側面説明図である。夏期水温上昇のときは、魚群は浮上し、海面近くを遊泳している。吸揚漁船１は、図１に示すものに比べ、吸揚管９Ａの先端及びラッパ管１４の形状が少し異なるが、その他の部材を含めて機能的には図１のものと同様である。
【００４０】
海面３に浮かぶ船体４は、鎖２５を介して図示しない錨と接続されている。魚群２６に対して吸揚管９Ａのラッパ管１４を位置させ、サンドポンプ８を作動することにより魚を吸揚げ、処理装置１１で水切り処理して漁することができる。
【００４１】
密度の濃い魚群を得るためには、集魚作業を実行しなければならない。このためには、まず魚群探知器２７を作動して破線で示す如く超音波を発信し、群れを集合可能な位置に錨を降し、吸揚管９Ａのラッパ管１４から餌を放出し、かつ照明を行う。しかる後、監視カメラ２４を用いて十分な集魚が行い得た頃を見図らって、前記サンドポンプ８を駆動する。魚群の密度をより一層増大さすためには、集魚灯を４０００カンデラから徐々に２０００〜１５００カンデラに下げ、最後に１０００カンデラの赤色灯に切り替える。こうすると、魚群は最高の密度となるので、その時吸揚げ開始となる。ただし、この場合赤色灯に切り替えるか否かは魚種による。最近の魚群探知器２つの性能向上は著るしく、深海魚の魚種まで判る程である。従って、魚の集魚状態のあらましは、魚群探知器２７であらまし知ることができる。ここに、本例では、監視カメラ２４までを設けているので、集魚状態のみならず、吸揚制御の状況まで細かく知ることができ、適格な吸揚作業が可能になる。
【００４２】
サンドポンプ８の作動は、必ずしも連続的には行なわない。寧ろ間欠動作させる方が好ましい。サンドポンプ８を作動させると、ラッパ管１４の内部又は近傍に居る魚を一気に吸揚げることができる。しかし、１回の吸揚げ量は、魚群２６の全体の１％にも満たないような量である。
【００４３】
また、サンドポンプ８を作動させると、魚と共にオキアミ等の餌も吸引してしまう。従って、このままサンドポンプを作動し続けても、魚は散り、海水のみ吸引してしまうこととなる。そこで、サンドポンプ８は、吸引、停止を繰り返し行うよう作動させる。これにより、ラッパ管１４内に再度魚を誘導し、十分集魚できた時点でサンドポンプ８を作動させることを繰り返すことで大漁を得ることができる。
【００４４】
サンドポンプの作動時間は、例えば十秒ないし数十秒、停止時間は３０秒〜数分程度である。従って吸揚途中の魚は、吸揚管９Ａ内に位置することになる。逆流防止弁１５を設けているので、処理装置１１へ順送りすることができる。吸揚水流の速度は、必ずしも魚の遊泳速度以上とする必要はない。好ましくは遊泳速度の近傍であるが、その１／２以下の速度でも吸揚できる。即ち、魚は、給餌の間はほとんど停止状態であり、これを急に吸揚する場合には、魚は遊泳開始するも吸揚水流速度の方が優るからである。吸揚管９Ａ内に吸込まれた余剰の餌は、処理装置１１で分離し、餌投入口へ返還できるので、無駄が無い。
【００４５】
図６は、本発明の他の実施形態に係る吸揚漁船２８を示す側面図である。本例の吸揚漁船２８は、クレーン２１で吊られる長尺、例えば５０ｍの吸揚管９Ｂに油圧配管２９を添え、先端に第２のサンドポンプ３０を備えて深海用として形成されている。逆流防止弁はサンドポンプ３０の中に１体的に形成されている。また、給餌管３１は、吸揚管９Ｂとは別体に構成され、その長さは、例えば１５０ｍとされ、より深海まで延長できるようになっている。給餌管３１の先端には、給餌管３１の反射板３２の近くには照明装置３３が別体に配置されている。照明装置３３は、電線ケーブル３４を介して船体４から吊下げられている。餌反射板３２は、照明装置３３に紐類等を用いて固定されて良い。又は一体的に構成されても良い。また、給餌管３１は布製ホース等で構成することができる。照明装置３３に反射板３２を固定した状態において、これらを強固な電線ケーブル３４で吊り、共に上下動作させることができる。
【００４６】
水温の低い冬期（１〜３月）には、アジ、サバ、イサキ等の魚は水深１００〜１５０ｍの海底に降下している。そこで、図６において、電線ケーブル３４を下げて、餌反射板３２及び照明装置３３を岩礁３５近くに居る瀬付き魚の所まで下げ、反射板３２から餌３６を撒き、照明装置３３をつけて魚群２６を集魚することができる。集魚後、電線ケーブル３４を巻き上げ、魚群２６を、前記吸揚管９Ｂの先端ラッパ管１４近くまで引き上げ、餌及び照明の切替え制御を行って、ラッパ管１４に魚群を提供することができる。
【００４７】
図７は、本発明の探索集魚船の一実施の形態を示す側面図である。本例の探索集魚船は、図６に示した吸揚漁船２８から吸揚管９Ｂを取り除いた形である。船体４は、海面３を照らす照明装置３８を有し、１．５ｋｇのおもり３９を付けたブイ４０とロープ４１で接続されている。
【００４８】
魚群探知器２７を用いて漁場を定め、ブイ４０を頼りに潮流２Ｆに合わせて魚群２６を集魚する。具体的には、海中の照明装置３３をつけ、餌３６を撒き、魚群２６を密度高く集魚することができる。集魚した魚は、他の漁船に提供するか、又は１本釣り等に利用させることができる。集魚した魚を逃さぬよう位置を変更するには、船体４の速度を微速として移動せねばならない。
【００４９】
図８は、冬期において、図７で示した探索集魚船３７を図６で示したと同様のアジ、サバ、イワシ等の瀬付き魚に適用し、ゆっくりと電線ケーブル３４をたぐり、魚群２６を海面３近くまで上昇させようというものである。上昇させた魚群２６は、他の漁船に与え、又は釣りに提供することができる。
【００５０】
図９は、２隻の探索集魚船３７Ａ，３７Ｂと１隻の大型吸揚漁船１を用いた船団を組み、探索集魚船３７Ａ，３７Ｂで集魚し、吸揚漁船１で吸揚げ漁をしようというものである。例えば、直径１．６ｋｍの漁場において、散在する魚群２６を集め、順次吸揚漁船１で吸揚げ、大漁を得ることができる。吸揚漁船１の錨４３上部に浮かべているブイ４２は、錨４３が岩場にはまり、取り上げにくくなったとき、船との間に設けた第２のロープ４４を引いて錨３２を岩場から外すためのものである。探索集魚船の船上照明装置３８は、集魚した魚群２６を吸揚漁船に引き渡すとき、消灯し、火力を移すことが必要である。
【００５１】
風速１０ｍ程度の風に対しては、風上に船首１０向け、船尾に２ｎ２ｎ帆を立てれば安定して操業できる。潮流２Ｆが多少速くとも操業できる。大漁すぎて網が破れるような問題も無い。
図１０は、比較的浅い岩礁３５の瀬付き魚を図１に示した吸揚漁船１のみで吸揚漁することができることを示す説明図である。即ち、吸揚管９の長さを５０ｍ程度に長尺物としておけば、ラッパ管１４を岩礁３５に近づけることができ、アジ、サバ、イサキ、タイ等の瀬付き魚を餌３６と照明で集魚することができ、吸揚管９で吸揚げることができる。
【００５２】
図１１は、本発明の吸揚漁船１をカツオ漁にも利用可能であることを示す説明図である。船体４の上部から、例えば人手を介してイワシの生餌４５を撒き、カツオの群れ４６を集魚することができる。集魚したカツオを吸揚管９で一気に吸揚げることができる。併せて１本釣りすることもできる。生餌４５は、手で撒くのではなく、給餌管１２を用いて行うことができる。この場合、給餌管１２の直径は、イワシの生餌を通過させるに十分な大きさとする。
【００５３】
以上示した吸揚漁船１，２６において、吸揚ポンプ８はサンドポンプに限定されない。また、１台とするか複数台とするかは、設計上の自由である。吸揚ポンプの他の例としては、長尺大径の弁付きピストンを吸揚管９に対して往復動作させ、１回の往復動作　ピストンストローク分の海水及び魚を吸揚げるようにするもの等の例が有る。吸揚げ途中において魚に傷を付けることがなければどのような構成であっても良い。
【００５４】
また、船体は、大型船を利用するものとして、通常の船舶形状の例を示したが、この形状は他の形状、例えば箱形、あるいはイカダ形等とすることができる。
【００５５】
吸揚管９の重量は大であり、かつ吸揚げ時９に加わる力は大きく、船体４を転伏させたり、その推力によって大きく移動させる可能性が高いからである。
【００５６】
通常の船舶形状とする場合でも、吸揚管９を船尾に位置させることにより、又は吸揚管９の取出口を舷ではなく寧ろ底から突出させた形の方が安定する。いずれの場合も、吸揚管９の作動内容を勘案して、力学的に細心の注意を払って安全設計されなければならない。
【００５７】
さらに、以上示した実施例では、大型船を用いての吸揚漁船を示したが、本発明は数トンないし十数トンの比較的小型の吸揚漁船とすることができる。吸揚管９の直径を２５〜３０ｃｍ程度に小型化し、ラッパ管１４の位置を固定化することもできる。この場合でも、ラッパ管１４の向きを変更自在とするのが好ましい。
【００５８】
本発明は、上記実施形態に限定されるものではなく、本発明の要旨を逸脱しない範囲で設計的変更を行うことができ、各種態様で実施できる。
【００５９】
【発明の効果】
以上の通り、本発明は、特許請求の範囲に記載の通りの吸揚漁船であるので、餌と照明とで魚を集魚し、大型ポンプの作動によって、ラッパ管の内側又は近傍の魚を吸揚管内部へ吸引することができる。吸揚管には、逆流防止弁が設けられており、大型ポンプを小刻みに間欠動作させても魚を逆流させることが無く、効率的に吸揚漁することができる。小型のものにあっては数人ないし十数人、大型のものにあっても２０数人程度と、少ない人数で大漁を得ることができる。大形網を必要とせず、多少の風があっても操業できる。
【００６０】
また、本発明の探索集魚船によれば、高さ調節自在の照明装置及び給餌管を備え、餌及び照明により集魚できるので、集魚高さ及び位置を微速で調節しながら他の漁船や１本釣りに提供できる。特に、１又は複数の探索集魚船に１隻の吸揚漁船で船団を組み、探索集魚船で集魚した魚を吸揚漁船で吸揚げれば、効率良く大漁を得ることができる。
【図面の簡単な説明】
【図１】本発明の一実施形態に係る吸揚管及び給餌管一体型の吸揚漁船を示す側面図である。
【図２】図１に示す吸揚管の先端部の部分拡大説明図である。
【図３】図１に示す吸揚漁船のラッパ管の向きを変更自在とする姿勢変更装置の構成例を示す側面図である。
【図４】図１に示す吸揚管の照明装置の変形例を示す説明図である。
【図５】吸揚漁船の操業状況を示す説明図である。
【図６】本発明の他の実施形態に係る吸揚管及び給餌管別体型の吸揚漁船を示す側面図である。
【図７】本発明の一実施形態に係る探索集魚船の構成を示す説明図である。
【図８】探索集魚船の操業方式の一例を示す説明図である。
【図９】本発明の吸揚漁船及び探索集魚船を用いて３隻の船団を結成して行う吸揚漁法の操業方式を示す説明図である。
【図１０】本発明の吸揚漁船を用いて行う瀬付き魚漁の説明図である。
【図１１】本発明の吸揚漁船をカツオ漁に利用した操業状態の説明図である。
【符号の説明】
１，１Ａ，２８…吸揚漁船
２…海
２Ｆ…潮流
３…海面
４…船体
５…機関室
６（６ａ，６ｂ，６ｃ）…冷凍室
７…餌収納室
８，３０…吸揚ポンプ（サンドポンプ）
９，９Ａ，９Ｂ…吸揚管
１０…ヒンジ機構
１１…処理装置
１２，３１…給餌管
１３…餌投入口
１４…ラッパ管
１５…逆流防止弁
１６…餌タンク
１７…餌放出管
１８…餌反射板
１９，２３，３３，３８…照明装置（集魚灯）
２０，３４…電線ケーブル
２１（２１ａ，２１ｂ，２１ｃ）…クレーン
２２…ゴム管
２４…監視カメラ
２５…鎖
２６…魚群
２７…魚群探知器
２９…油圧配管
３５…岩礁
３６…餌
３７，３７Ａ，３７Ｂ…探索集魚船
３９…おもり
４０，４２…ブイ
４１，４４…ロープ
４３…錨
４５…生餌
４６…カツオの群れ
【図１】
2004049053.tif 000003
【図２】
2004049053.tif 000004
【図３】
2004049053.tif 000005
【図４】
2004049053.tif 000006
【図５】
2004049053.tif 000007
【図６】
2004049053.tif 000008
【図７】
2004049053.tif 000009
【図８】
2004049053.tif 000010
【図９】
2004049053.tif 000011
【図１０】
2004049053.tif 000012
【図１１】
2004049053.tif 000013